(57)【要約】【課題】色ムラの発生を抑制し、かつ、照射対象にツヤ又はキラメキを生じさせることができる照明装置を提供する。【解決手段】店舗用の照明装置１０であって、出力する光の分光分布が異なる少なくとも１つの第１の光源３０及び少なくとも１つの第２の光源４０を備え、第１の光源３０及び第２の光源４０は、配光制御されることで照射対象５０に対してそれぞれ異なる角度の光軸に沿って光を照射する。【選択図】図４
2017033629.tif 000002
【特許請求の範囲】
【請求項１】
店舗用の照明装置であって、
出力する光の分光分布が異なる少なくとも１つの第１の光源及び少なくとも１つの第２の光源を備え、
前記第１の光源及び前記第２の光源は、配光制御されることで照射対象に対してそれぞれ異なる角度の光軸に沿って光を照射する
照明装置。
【請求項２】
さらに、光学部材を備え、
前記第１の光源及び前記第２の光源は、前記光学部材が当該第１の光源及び当該第２の光源の光出射側に配置されることで、配光制御される
請求項１に記載の照明装置。
【請求項３】
前記第１の光源及び前記第２の光源は、当該第１の光源及び当該第２の光源がそれぞれ配置される面の傾斜角によって、配光制御される
請求項１又は２に記載の照明装置。
【請求項４】
前記第１の光源及び前記第２の光源が出力する光は、略同一の光色である
請求項１〜３のいずれか１項に記載の照明装置。
【請求項５】
前記第１の光源及び前記第２の光源は、ＦＣＩ（Ｆｅｅｌｉｎｇ  ｏｆ  Ｃｏｎｔｒａｓｔ  Ｉｎｄｅｘ）が異なる
請求項１〜４のいずれか１項に記載の照明装置。
【請求項６】
前記第１の光源及び前記第２の光源は、長尺状の発光ユニットの長手方向に直線状に配置される
請求項１〜５のいずれか１項に記載の照明装置。
【請求項７】
前記第１の光源は、白色光源であり、
前記第１の光源及び前記第２の光源は、当該第２の光源が当該第１の光源よりも狭角の配光となるように、光学部材で配光制御される
請求項１〜５のいずれか１項に記載の照明装置。
【発明の詳細な説明】
【技術分野】
【０００１】
本発明は、照射対象の見栄えを良くする照明装置に関する。
【背景技術】
【０００２】
店舗等において照射対象の見栄えを良くする光を照射する照明装置が知られている。例えば、拡散材等によって光色の異なる複数の発光素子が出力する光を混色し、長波長（赤色）成分を多く含み黄みを抑えた白色光を出力する照明装置がある。これにより、この照明装置は、照射対象（例えば食肉）の色を鮮やかに見せる。特許文献１には、このような照明装置に関する技術が開示されている。
【先行技術文献】
【特許文献】
【０００３】
【特許文献１】特開２０１４−１５４５９０号公報
【発明の概要】
【発明が解決しようとする課題】
【０００４】
しかしながら、特許文献１に開示された照明装置では、混色されない光は、白色光とならずに色ムラとして照射対象に照射されてしまう。また、特許文献１に開示された照明装置は、照射対象の色を鮮やかに見せるが、照射対象にツヤ又はキラメキを生じさせる機能を有してない。
【０００５】
そこで本発明は、色ムラの発生を抑制し、かつ、照射対象にツヤ又はキラメキを生じさせることができる照明装置を提供することを目的とする。
【課題を解決するための手段】
【０００６】
本発明の一態様に係る照明装置は、店舗用の照明装置であって、出力する光の分光分布が異なる少なくとも１つの第１の光源及び少なくとも１つの第２の光源を備え、前記第１の光源及び前記第２の光源は、配光制御されることで照射対象に対してそれぞれ異なる角度の光軸に沿って光を照射する。
【発明の効果】
【０００７】
本発明に係る照明装置によれば、色ムラの発生を抑制し、かつ、照射対象にツヤ又はキラメキを生じさせることができる。
【図面の簡単な説明】
【０００８】
【図１】図１は、実施の形態１に係る照明装置の外観斜視図である。
【図２】図２は、実施の形態１に係る発光ユニットの断面図である。
【図３】図３は、実施の形態１に係る照明装置の正面図である。
【図４】図４は、実施の形態１に係る発光ユニットと照射対象との位置関係を示す図である。
【図５】図５は、実施の形態１に係る第１の光源及び第２の光源が出力する光の分光分布の一例を示す図である。
【図６】図６は、実施の形態２に係る照明装置の外観斜視図である。
【図７】図７は、実施の形態２に係る発光ユニットの断面図である。
【図８】図８は、実施の形態２に係る照明装置の正面図である。
【図９】図９は、図８における照射対象面上の第１の光源及び第２の光源の照射領域を示す図である。
【図１０】図１０は、実施の形態２に係る第１の光源及び第２の光源が出力する光の分光分布の一例を示す図である。
【発明を実施するための形態】
【０００９】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密に図示されたものではない。
【００１０】
（実施の形態１）
以下、実施の形態１について、図１から図５を用いて説明する。
【００１１】
［照明装置の構成］
図１は、実施の形態１に係る照明装置１０の外観斜視図である。照明装置１０は、例えば店舗用の照明装置であって、店舗の天井又は壁等に取り付けられ、図１に示されるＺ軸方向にある照射対象を照射する。照射対象は、例えば、食肉、魚等の生鮮食品等である。つまり、照明装置１０は、店舗に陳列された照射対象を照射するための照明装置である。
【００１２】
照明装置１０は、発光ユニット２０、第１の光源３０、第２の光源４０、第１の光学部材３１及び第２の光学部材４１を備える。また、照明装置１０は、電源部（図示せず）及び制御部（図示せず）を備える。電源部は、第１の光源３０及び第２の光源４０に電力を供給する電源回路である。制御部は、例えば、第１の光源３０及び第２の光源４０の調光制御を行う。なお、照明装置１０は、複数の第１の光源３０と複数の第２の光源４０とを備えるが、例えば、少なくとも１つの第１の光源３０と少なくとも１つの第２の光源４０とを備えればよい。
【００１３】
発光ユニット２０は、第１の光源３０及び第２の光源４０が取り付けられたモジュールである。発光ユニット２０には、発光ユニット２０の＋Ｚ軸方向側（照射対象が陳列される側）の面に第１の光源３０及び第２の光源４０が取り付けられている。発光ユニット２０は、例えば、長尺状の棒状形状を有するが、棒状形状に限らずその他の形状を有してもよい。
【００１４】
第１の光源３０及び第２の光源４０は、例えば、ＬＥＤ（Ｌｉｇｈｔ  Ｅｍｉｔｔｉｎｇ  Ｄｉｏｄｅ）光源である。なお、第１の光源３０及び第２の光源４０は、半導体レーザ等の半導体発光素子、有機ＥＬ（Ｅｌｅｃｔｒｏ  Ｌｕｍｉｎｅｓｃｅｎｃｅ）又は無機ＥＬ等の固体発光素子であってもよい。第１の光源３０及び第２の光源４０は、例えば、長尺状の発光ユニット２０の長手方向に沿って直線状に所定の間隔をおいて配置されている。第１の光源３０及び第２の光源４０は、第１の光源３０と第２の光源４０とが交互に並ぶように配置されている。また、後述する図２の（ａ）及び（ｂ）に示されるように、第１の光源３０及び第２の光源４０は、発光ユニット２０に埋め込まれて配置される。
【００１５】
第１の光源３０及び第２の光源４０が出力する光は、例えば、略同一の光色である。本実施の形態では、第１の光源３０及び第２の光源４０が出力する光は、白色光である。しかし、第１の光源３０及び第２の光源４０が出力する光の分光分布は異なる。第１の光源３０及び第２の光源４０が出力する光の分光分布については、後述する図５で詳細に説明する。
【００１６】
また、第１の光源３０及び第２の光源４０は、配光制御されることで照射対象に対してそれぞれ異なる角度の光軸に沿って光を照射する。このとき、第１の光源３０及び第２の光源４０は、光学部材が第１の光源３０及び第２の光源４０の光出射側（＋Ｚ軸方向側）に配置されることで、配光制御される。具体的には、第１の光源３０には、第１の光学部材３１が配置され、第２の光源４０には、第２の光学部材４１が配置される。第１の光学部材３１及び第２の光学部材４１は、例えばレンズである。
【００１７】
ここで、第１の光源３０及び第２の光源４０の具体的な配光制御の方法について、図２を用いて説明する。
【００１８】
［配光制御］
図２は、実施の形態１に係る発光ユニット２０の断面図である。図２の（ａ）は、図１に示される破線の丸で囲まれた箇所のＩＩ−ＩＩ線における＋Ｙ軸方向から見た断面が示される。図２の（ｂ）については、後述する。
【００１９】
図２の（ａ）に示されるように、第１の光源３０及び第２の光源４０には、第１の光源３０及び第２の光源４０の光出射側（＋Ｚ軸方向側）に第１の光学部材３１及び第２の光学部材４１が配置される。第１の光学部材３１及び第２の光学部材４１は、第１の光源３０及び第２の光源４０が出力する光の光軸を曲げる機能を有する。第１の光源３０に第１の光学部材３１が配置されることで、第１の光源３０が出力する光の光軸は、例えば、−Ｘ軸方向へ曲げられる。つまり、第１の光源３０が出力する光の光軸は、図２の（ａ）に示される光軸３２となる。また、第２の光源４０に第２の光学部材４１が配置されることで、第２の光源４０が出力する光の光軸は、例えば、＋Ｘ軸方向へ曲げられる。つまり、第２の光源４０が出力する光の光軸は、図２の（ａ）に示される光軸４２となる。このように、第１の光源３０及び第２の光源４０は、第１の光学部材３１及び第２の光学部材４１が配置されることで配光制御される。
【００２０】
なお、第１の光源３０及び第２の光源４０の配光制御の方法は、これに限らない。第１の光源３０及び第２の光源４０のその他の配光制御の方法について、図２の（ｂ）を用いて説明する。
【００２１】
図２の（ｂ）は、発光ユニット２０の第１の光源３０及び第２の光源４０が配置される面に傾斜面が設けられた場合における図２の（ａ）に相当する断面図である。
【００２２】
図２の（ｂ）に示されるように、発光ユニット２０は、発光ユニット２０の＋Ｚ軸方向側の面に第１の傾斜面２１及び第２の傾斜面２２を有する。第１の傾斜面２１及び第２の傾斜面２２は、例えば、発光ユニット２０の＋Ｚ軸側の面に谷状に設けられた穴を構成する１つの面である。そして、第１の光源３０が第１の傾斜面２１に配置されることで、第１の光源３０が出力する光の光軸は、−Ｘ軸方向へずれた光軸となる。つまり、第１の光源３０が出力する光の光軸は、図２の（ｂ）に示される光軸３２となる。また、第２の光源４０が第２の傾斜面２２に配置されることで、第２の光源４０が出力する光の光軸は、＋Ｘ軸方向へずれた光軸となる。つまり、第２の光源４０が出力する光の光軸は、図２の（ｂ）に示される光軸４２となる。このように、第１の光源３０及び第２の光源４０は、第１の光源３０及び第２の光源４０のそれぞれが配置される面（第１の傾斜面２１及び第２の傾斜面２２）の傾斜角によって、配光制御されてもよい。なお、図２の（ｂ）では、第１の光源３０及び第２の光源４０には光学部材は配置されていないが、光学部材が配置されてもよい。
【００２３】
このように、第１の光源３０及び第２の光源４０は、第１の光源３０及び第２の光源４０が配置される傾斜面、又は、第１の光源３０及び第２の光源４０の光出射側に配置される光学部材によって配光制御される。このとき、発光ユニット２０の長手方向の軸と第１の光源３０及び第２の光源４０の光軸とが成す角度はそれぞれ異なる。具体的には、発光ユニット２０の長手方向の軸Ａと第１の光源３０の光軸３２とが成す角度αと、軸Ａと第２の光源４０の光軸４２とが成す角度βとは、図２の（ａ）及び（ｂ）に示されるように異なる。本実施の形態では、照明装置１０は、複数の第１の光源３０及び複数の第２の光源４０を備え、発光ユニット２０の長手方向の軸と複数の第１の光源３０の光軸３２及び複数の第２の光源４０の光軸４２とが成す角度は異なる。
【００２４】
図３は、実施の形態１に係る照明装置１０の正面図（＋Ｙ軸方向から見た図）である。
【００２５】
図３に示されるように、発光ユニット２０の長手方向の軸と複数の第１の光源３０の光軸３２及び複数の第２の光源４０の光軸４２とが成す角度が異なることがわかる。このように、第１の光源３０及び第２の光源４０は、第１の光源３０が出力する光と第２の光源４０が主力する光とが平行光にならないように配光制御される。そして、発光ユニット２０と照射対象との位置関係が調整されることで、第１の光源３０及び第２の光源４０は、照射対象に対して異なる角度で光を照射することができる。
【００２６】
図４は、実施の形態１に係る発光ユニット２０と照射対象５０との位置関係を示す図である。図４の（ａ）は、発光ユニット２０と照射対象５０との位置関係の一例を示す図である。図４の（ｂ）は、発光ユニット２０と照射対象５０との位置関係の他の一例を示す図である。図４の（ａ）及び（ｂ）において、右下方向へ延びる矢印を光軸３２として左側の光軸から光軸３２ａ、３２ｂ、３２ｃと呼ぶ。また、左下方向へ延びる矢印を光軸４２として左側の光軸から４２ａ、４２ｂ、４２ｃと呼ぶ。
【００２７】
照射対象５０は、例えば、図４の（ａ）に示されるように、隣り合う第１の光源３０及び第２の光源４０の光軸３２ａ及び４２ａ、光軸３２ｂ及び４２ｂ、並びに、光軸３２ｃ及び４２ｃが交差する箇所に配置される。これにより、第１の光源３０は照射対象５０に対して角度αの光軸３２ａ、３２ｂ、３２ｃに沿って光を照射する。第２の光源４０は照射対象５０に対して角度βの光軸４２ａ、４２ｂ、４２ｃに沿って光を照射する。また、照射対象５０は、隣り合っていない第１の光源３０及び第２の光源４０の光軸が交差する箇所に配置されてもよい。例えば、図４の（ｂ）に示されるように、光軸３２ａ及び４２ｂ、並びに、光軸３２ｂ及び４２ｃが交差する箇所に照射対象５０が配置されてもよい。また、例えば、光軸３２ａ及び４２ｃが交差する箇所に照射対象５０が配置されてもよい。
【００２８】
このように、発光ユニット２０と照射対象５０との位置関係が調整され、第１の光源３０及び第２の光源４０が配光制御されることで、第１の光源３０及び第２の光源４０は、照射対象５０に対してそれぞれ異なる角度で光を照射することができる。なお、発光ユニット２０と照射対象５０との位置関係が予めわかっている場合には、第１の光源３０及び第２の光源４０は、照射対象５０に対してそれぞれ異なる角度で光を照射することができるように、光軸方向を予め制御されていてもよい。つまり、発光ユニット２０と照射対象５０との位置関係が調整されなくてもよく、第１の光源３０及び第２の光源４０が配光制御されるだけで、第１の光源３０及び第２の光源４０は、照射対象５０に対してそれぞれ異なる角度で光を照射してもよい。また、例えば、照明装置１０が光軸方向をメカニカルに可動することができる機能（例えば、図２の（ｂ）に示される第１の傾斜面２１及び第２の傾斜面２２の傾斜角を可動することができる機能等）を有してもよい。
【００２９】
［分光分布］
次に、第１の光源３０及び第２の光源４０が出力する光の分光分布について説明する。
【００３０】
図５は、実施の形態１に係る第１の光源３０及び第２の光源４０が出力する光の分光分布の一例を示す図である。図５に示される実線は、第１の光源３０が出力する光の分光分布を示し、破線は、第２の光源４０が出力する光の分光分布を示す。
【００３１】
図５に示されるように、第１の光源３０及び第２の光源４０が出力する光は、例えば、略同一の光色（例えば色温度が３０００Ｋの白色光）であるが、分光分布が異なっている。第２の光源４０が出力する光の分光分布は、例えばネオジウムによって黄色成分が吸収されることで、図５の破線で示される分光分布となっている。例えば、第１の光源３０及び第２の光源４０は、ＦＣＩ（Ｆｅｅｌｉｎｇ  ｏｆ  Ｃｏｎｔｒａｓｔ  Ｉｎｄｅｘ）が異なり、第１の光源３０が出力する光のＦＣＩは１００であり、第２の光源４０が出力する光のＦＣＩは１３０である。ＦＣＩとは、色の鮮やかさの指標であり、値が高いほど照射対象５０の色が鮮やかに見える。
【００３２】
このように、第１の光源３０及び第２の光源４０が出力する光の分光分布は異なる。
【００３３】
なお、第１の光源３０及び第２の光源４０が出力する光は、略同一の光色でなくてもよい。
【００３４】
［効果］
従来の照明装置では、混色されない光は、白色光とならずに色ムラとして照射対象に照射されてしまっていた。また、従来の照明装置は、照射対象の色を鮮やかに見せるが、照射対象にツヤ又はキラメキを生じさせる機能を有していなかった。
【００３５】
ここで、従来の照明装置が照射対象にツヤ又はキラメキを生じさせる機能を有しない理由について説明する。生鮮食品等の照射対象５０は、店舗に置かれているため、店舗で買い物をする客は移動しながら照射対象５０を見る。また、照射対象５０が肉の場合、肉の表面に到達した光は、例えば、肉の内部に透過したり、肉の表面にある凹凸によって反射したりする。同様に、照射対象５０が魚の場合、魚の表面に到達した光は、例えば、魚の内部に透過したり、魚の表面にある凹凸又は鱗等によって反射したりする。つまり、照射対象５０の表面にある凹凸等によって光が拡散するため、買い物客が移動しながら照射対象５０を見るときに、照射対象５０が煌めいて見える。
【００３６】
このとき、従来の照明装置では、拡散材で混色された光は、照射対象５０に到達したときには、平行光となっている。したがって、照射対象５０は、平行光によって均一的に照射され、一方向からの光しか拡散しないため、買い物客が移動しながら照射対象５０を見ても、あまりキラメキが生じない。このように、従来の照明装置は、照射対象にツヤ又はキラメキを積極的に生じさせる機能を有しない。
【００３７】
そこで、本実施の形態に係る照明装置１０は、店舗用の照明装置１０であって、出力する光の分光分布が異なる少なくとも１つの第１の光源３０及び少なくとも１つの第２の光源４０を備える。第１の光源３０及び第２の光源４０は、配光制御されることで照射対象５０に対してそれぞれ異なる角度の光軸に沿って光を照射する。
【００３８】
これにより、照射対象５０には、少なくとも２つの異なる角度から光が照射され、照射対象５０の表面にある凹凸等によってそれぞれの光が拡散する。したがって、照射対象５０が、異なる角度から光を照射されることで、一方向から光を照射されるときよりも、より細かく拡散する。つまり、買い物客が移動しながら照射対象５０を見ることで、照射対象５０がより煌めいて見える。このように、照明装置１０は、照射対象５０にツヤ又はキラメキを生じさせることができる。
【００３９】
さらに、第１の光源３０及び第２の光源４０は、それぞれ分光分布が異なる光を出力する。例えば、第１の光源３０及び第２の光源４０が色の異なる光を出力することで、買い物客の照射対象５０を見る位置によって、色の異なる光が反射される。つまり、色の変化によるツヤ又はキラメキも照射対象５０に生じさせることができる。
【００４０】
また、照明装置１０は配光制御することができるため、照射対象５０上で第１の光源３０が出力する光と第２の光源４０が出力する光とが互いに重なり合うように配光制御されることで、色ムラの発生を抑制することができる。
【００４１】
また、さらに、照明装置１０は、光学部材（第１の光学部材３１及び第２の光学部材４１）を備える。第１の光源３０及び第２の光源４０は、光学部材（第１の光学部材３１及び第２の光学部材４１）が第１の光源３０及び第２の光源４０の光出射側に配置されることで、配光制御される。
【００４２】
これにより、第１の光源３０及び第２の光源４０に光学部材を配置するだけで、配光制御することができる。
【００４３】
また、第１の光源３０及び第２の光源４０は、第１の光源３０及び第２の光源４０がそれぞれ配置される面の傾斜角によって、配光制御される。
【００４４】
これにより、第１の光源３０及び第２の光源４０が配置される面に傾斜角を設けるだけで、配光制御することができる。
【００４５】
また、第１の光源３０及び第２の光源４０は、略同一の光色である。
【００４６】
これにより、色ムラの発生を抑制することができる。具体的には、第１の光源３０及び第２の光源４０が出力した光が混色されない領域がある場合でも、第１の光源３０及び第２の光源４０は、略同一の光色であるため、色ムラの発生を抑制することができる。
【００４７】
また、第１の光源３０及び第２の光源４０は、ＦＣＩが異なる。
【００４８】
これにより、買い物客の照射対象５０を見る位置によって、照射対象５０の色の鮮やかさが強調されたり、強調されなかったりする。つまり、色の鮮やかさの変化によるツヤ又はキラメキも照射対象５０に生じさせることができる。
【００４９】
また、第１の光源３０及び第２の光源４０は、長尺状の発光ユニット２０の長手方向に直線状に配置される。
【００５０】
これにより、店舗等において、照射対象５０は直線状に陳列されることが多いため、直線状に陳列された照射対象５０を照射することができる。
【００５１】
（実施の形態２）
以下、実施の形態２について、図６から図１０を用いて説明する。
【００５２】
［照明装置の構成］
図６は、実施の形態２に係る照明装置１１０の外観斜視図である。照明装置１１０は、実施の形態１と同様に、例えば店舗用の照明装置であって、店舗の天井又は壁等に取り付けられ、図６に示される＋Ｚ軸方向にある照射対象を照射する。照明装置１１０は、例えばスポットライトである。照射対象は、例えば、食肉、魚等の生鮮食品等である。
【００５３】
照明装置１１０は、発光ユニット１２０、第１の光源１３０、第２の光源１４０、第１の光学部材１３１及び第２の光学部材１４１を備える。なお、照明装置１１０は、１つの第１の光源１３０と複数の第２の光源４０とを備えるが、例えば、少なくとも１つの第１の光源１３０と少なくとも１つの第２の光源１４０とを備えればよい。
【００５４】
発光ユニット１２０は、第１の光源１３０及び第２の光源１４０が取り付けられたモジュールである。発光ユニット１２０には、発光ユニット１２０の＋Ｚ軸方向側（照射対象が陳列される側）の面に第１の光源１３０及び第２の光源１４０が取り付けられている。発光ユニット１２０は、例えば、円形板状の形状を有するが、円形板状の形状は限らずその他の形状を有してもよい。
【００５５】
第１の光源１３０及び第２の光源１４０は、例えば、ＬＥＤ光源である。なお、第１の光源１３０及び第２の光源１４０は、半導体レーザ等の半導体発光素子、有機ＥＬ又は無機ＥＬ等の固体発光素子であってもよい。第１の光源１３０は、例えば、発光ユニット１２０の＋Ｚ軸方向側の面の中央に配置されている。第２の光源１４０は、例えば、発光ユニット１２０の＋Ｚ軸方向側の面において、第１の光源１３０を囲むように配置されている。また、後述する図７に示されるように、第１の光源１３０及び第２の光源１４０は、発光ユニット１２０に埋め込まれて配置される。
【００５６】
第１の光源１３０及び第２の光源１４０が出力する光の分光分布は異なる。第１の光源１３０は、例えば白色光源であり、第２の光源１４０は、例えば赤色光源である。第１の光源１３０及び第２の光源１４０が出力する光の分光分布については、後述する図１０で詳細に説明する。
【００５７】
また、第１の光源１３０及び第２の光源１４０は、配光制御されることで、照射対象に対してそれぞれ異なる角度の光軸に沿って光を照射する。このとき、第１の光源１３０及び第２の光源１４０は、光学部材が第１の光源１３０及び第２の光源１４０の光出射側（＋Ｚ軸方向側）に配置されることで、配光制御される。具体的には、第１の光源１３０には、第１の光学部材１３１が配置され、第２の光源１４０には、第２の光学部材１４１が配置される。第１の光学部材１３１及び第２の光学部材１４１は、例えばレンズである。
【００５８】
ここで、第１の光源１３０及び第２の光源１４０の具体的な配光制御の方法について、図７を用いて説明する。
【００５９】
［配光制御］
図７は、実施の形態２に係る発光ユニット１２０の断面図である。図７には、図６に示されるＶＩＩ−ＶＩＩ線における＋Ｙ軸方向から見た断面が示される。
【００６０】
図７に示されるように、第１の光源１３０及び第２の光源１４０には、第１の光源１３０及び第２の光源１４０の光出射側（＋Ｚ軸方向側）に第１の光学部材１３１及び第２の光学部材１４１が配置される。第１の光学部材１３１及び第２の光学部材１４１は、第１の光源１３０及び第２の光源１４０が出力する光の光軸を曲げる機能を有する。第１の光源１３０に第１の光学部材１３１が配置されることで、第１の光源３０が出力する光の光軸は、例えば、＋Ｚ軸方向（例えば発光ユニット１２０の略真下方向）となるように配光制御される。つまり、第１の光源１３０が出力する光の光軸は、図７に示される光軸１３２となる。また、第２の光源１４０に第２の光学部材１４１が配置されることで、第２の光源１４０が出力する光の光軸は、例えば、＋Ｘ軸方向又は−Ｘ軸方向へ曲げられる。つまり、第２の光源１４０が出力する光の光軸は、図７に示される光軸１４２となる。このように、第１の光源１３０及び第２の光源１４０は、第１の光学部材１３１及び第２の光学部材１４１が配置されることで配光制御される。このとき、第１の光源１３０の光軸１３２と第２の光源１４０の光軸１４２とは、互いに交差する。また、第１の光源１３０及び第２の光源１４０は、第２の光源１４０が第１の光源１３０よりも狭角の配光となるように光学部材で配光制御されている。第１の光源１３０及び第２の光源１４０の光軸及び配光角について、図８を用いて説明する。
【００６１】
図８は、実施の形態２に係る照明装置１１０の正面図（＋Ｙ軸方向から見た図）である。図８の（ａ）は、第１の光源１３０の光軸１３２及び第２の光源１４０の光軸１４２を示す図である。図８の（ｂ）は、第１の光源１３０の照射領域１３２ａ及び第２の光源１４０の照射領域１４２ａを示す図である。第１の光源１３０は、照射領域１３２ａにおいて光軸１３２の方向へ光を照射する。第２の光源１４０は、照射領域１４２ａにおいて光軸１４２の方向へ光を照射する。
【００６２】
図８の（ａ）に示されるように、第１の光源１３０の光軸１３２と第２の光源１４０の光軸１４２とは、互いに交差する。このように、第１の光源１３０及び第２の光源１４０は、第１の光源１３０が出力する光と第２の光源１４０が光とが平行光にならないように配光制御される。
【００６３】
また、図８の（ｂ）には、第１の光源１３０の照射領域１３２ａ及び第２の光源１４０の照射領域１４２ａが示されおり、第２の光源１４０の配光角θ２は、第１の光源１３０の配光角θ１よりも狭角となっている。これにより、第１の光源１３０が出力する光の照射領域１３２ａが第２の光源１４０が出力する光の照射領域１４２ａを含むことができる。また、第１の光源１３０は光軸１３２に沿って光を照射し、第２の光源１４０は光軸１４２に沿って光を照射するため、照射領域１３２ａが照射領域１４２ａを含んでいる領域では、第１の光源１３０が出力する光及び第２の光源１４０が出力する光は、交差している。したがって、発光ユニット１２０と照射対象との位置関係が調整されることで、第１の光源１３０及び第２の光源１４０は、照射対象に対して異なる角度で光を照射することができる。例えば、照射対象が配置される面を図８に示される照射対象面にすることで、照射対象面における第１の光源１３０による照射領域が第２の光源１４０による照射領域を含む領域において、照射対象は異なる角度で光を照射される。
【００６４】
図９は、図８における照射対象面上の第１の光源１３０及び第２の光源１４０の照射領域を示す図である。図９は、照射対象面を−Ｚ軸方向から見た図となっている。
【００６５】
図９に示されるように、第１の光源１３０が出力する光の照射対象面における照射領域１３３が、第２の光源１４０が出力する光の照射対象面における照射領域１４３を含んでいることがわかる。照射領域１４３に照射対象が配置された場合、第１の光源１３０及び第２の光源１４０は、照射対象に対して異なる角度で光を照射することができる。
【００６６】
このように、発光ユニット１２０と照射対象との位置関係が調整され、第１の光源１３０及び第２の光源１４０が配光制御されることで、第１の光源１３０及び第２の光源１４０は、照射対象に対してそれぞれ異なる角度で光を照射することができる。なお、発光ユニット１２０と照射対象との位置関係が予めわかっている場合には、第１の光源１３０及び第２の光源１４０は、照射対象に対してそれぞれ異なる角度で光を照射することができるように、光軸方向を予め制御されていてもよい。つまり、発光ユニット１２０と照射対象との位置関係が調整されなくてもよく、第１の光源１３０及び第２の光源１４０が配光制御されるだけで、第１の光源１３０及び第２の光源１４０は、照射対象に対してそれぞれ異なる角度で光を照射する。また、例えば、照明装置１１０が光軸方向をメカニカルに可動することができる機能を有してもよい。
【００６７】
［分光分布］
次に、第１の光源１３０及び第２の光源１４０が出力する光の分光分布について説明する。
【００６８】
図１０は、実施の形態２に係る第１の光源１３０及び第２の光源１４０が出力する光の分光分布の一例を示す図である。図１０に示される実線は、第１の光源１３０が出力する光の分光分布を示し、破線は、第２の光源１４０が出力する光の分光分布を示す。
【００６９】
図１０に示されるように、第１の光源１３０が出力する光は、例えば色温度が３０００Ｋの白色光であり、第２の光源１４０が出力する光は、例えば赤色の光であり、分光分布が異なっている。これにより、図９に示される照射領域１３３上では、第１の光源１３０による白色光が照射され、照射領域１４３上では第１の光源１３０による白色光と第２の光源１４０による赤色の光とが混色された光が照射される。
【００７０】
なお、第１の光源１３０及び第２の光源１４０が出力する光は、略同一の光色であってもよい。
【００７１】
［効果］
第１の光源１３０は、白色光源であり、第１の光源１３０及び第２の光源１４０は、第２の光源１４０が第１の光源１３０よりも狭角の配光となるように、光学部材（第１の光学部材１３１及び第２の光学部材１４１）で配光制御される。
【００７２】
これにより、配光角の広い第１の光源１３０が出力する白色光により、広い範囲を照射しつつ、配光角の狭い第２の光源１４０によって、照射対象が陳列される特定の領域において照射対象にキラメキを生じさせることができる。また、第２の光源１４０が第１の光源１３０よりも配光角が狭角であるため、第１の光源１３０の照射領域内に第２の光源１４０を照射しやすくなり、色ムラの発生を抑制することができる。
【００７３】
（その他の実施の形態）
以上、実施の形態に係る照明装置について説明したが、本発明は、上記実施の形態に限定されるものではない。
【００７４】
例えば、上記実施の形態では、照射対象は、食肉、魚等の生鮮食品等であったが、これに限らない。例えば、照射対象は、加工食品、飲料等の生鮮食品以外の食品であってもよい。また、照射対象は、貴金属の装飾品、宝石及び腕時計等であってもよい。
【００７５】
また、例えば、上記実施の形態では、照明装置１０（１１０）は、店舗用の照明装置であったが、これに限らない。例えば、照明装置１０（１１０）は、車内用の照明装置であってもよい。この場合、照射対象は、例えば、メッキが施されたもの、パール塗装されたダッシュボードのパーツ又は計器類のフレーム等である。
【００７６】
例えば、上記実施の形態では、第１の光源３０（１３０）及び第２の光源４０（１４０）は、図２及び図７に示されるように、発光ユニット２０（１２０）の内部に埋め込まれるように配置されたが、これに限らない。例えば、第１の光源３０（１３０）及び第２の光源４０（１４０）は、発光ユニット２０（１２０）の＋Ｚ軸側の面上に配置され、第１の光源３０（１３０）及び第２の光源４０（１４０）の上（＋Ｚ軸方向側）に第１の光学部材３１（１３１）及び第２の光学部材４１（１４１）が配置されてもよい。また、例えば、第１の光源３０（１３０）及び第２の光源４０（１４０）は、発光ユニット２０（１２０）の＋Ｚ軸方向側の面から＋Ｚ軸方向側へ突出した傾斜面上に配置されてもよい。
【００７７】
また、例えば、上記の実施の形態では、第１の光源３０（１３０）及び第２の光源４０（１４０）が出力する光の分光分布は、図５及び図１０に示される分光分布であったが、第１の光源３０（１３０）及び第２の光源４０（１４０）が出力する光の分光分布が異なっていれば、これに限定されない。
【００７８】
また、例えば、実施の形態２では、第１の光源１３０及び第２の光源１４０は、光学部材が配置されることで配光制御されたが、これに限らない。例えば、第１の光源１３０及び第２の光源１４０は、第１の光源１３０及び第２の光源１４０のそれぞれが配置される面の傾斜角によって、配光制御されてもよい。
【００７９】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８０】
１０、１１０  照明装置
２０、１２０  発光ユニット
３０、１３０  第１の光源
３１、１３１  光学部材（第１の光学部材）
４０、１４０  第２の光源
４１、１４１  光学部材（第２の光学部材）
５０  照射対象
【図１】
2017033629.tif 000003
【図２】
2017033629.tif 000004
【図３】
2017033629.tif 000005
【図４】
2017033629.tif 000006
【図５】
2017033629.tif 000007
【図６】
2017033629.tif 000008
【図７】
2017033629.tif 000009
【図８】
2017033629.tif 000010
【図９】
2017033629.tif 000011
【図１０】
2017033629.tif 000012